(57)【特許請求の範囲】
【請求項１】
水平面に接地される第１接地部を備える基底部と、
先端部に第１係合部を備え、前記基底部に対して略垂直に前記基底部の一端部から立ち上がる第１支柱部と、
先端部に第２係合部を備え、前記基底部に対して略垂直に前記基底部の他端部から立ち上がる第２支柱部と、
一端部に前記第１係合部に係合可能な第３係合部と、他端部に前記第２係合部に係合可能な第４係合部と、片面に座面と、を備える天板と、
前記第１支柱部及び前記第２支柱部にそれぞれ設けられる第１支持部及び第２支持部と、
を具備する椅子であって、
前記第１係合部及び前記第２係合部をそれぞれ前記第３係合部及び前記第４係合部に係合させた第１状態で前記座面に着座可能であり、
前記第１係合部及び前記第３係合部の係合、及び、前記第２係合部及び前記第４係合部の係合、の一方の係合を外した第２状態、又は、両方の係合を外した第３状態で前記第１支柱部及び前記第２支柱部の間に配置された自転車の一側方及び他側方をそれぞれ前記第１支持部及び前記第２支持部によって支持可能である、椅子。
【請求項２】
前記天板は、前記水平面に略平行で前記第２係合部に備えられる第１揺動軸線を中心に揺動可能に係合される、
請求項１に記載の椅子。
【請求項３】
前記天板は、前記第１揺動軸線を中心とする直線状部に揺動可能に係合される、
請求項２に記載の椅子。
【請求項４】
前記第１係合部及び前記第３係合部の係合を外した前記第２状態において、前記第２支柱部が備える第５係合部に前記天板が備える第６係合部が係合可能である、
請求項２から請求項３のいずれかに記載の椅子。
【請求項５】
前記第１支持部及び前記第２支持部はそれぞれ前記第１支柱部及び前記第２支柱部の先端部に設けられる、
請求項１から請求項４のいずれかに記載の椅子。
【発明の詳細な説明】
【技術分野】
【０００１】
本発明は、自然人が着座可能な椅子に関する。
【背景技術】
【０００２】
椅子においては、特許文献１のようにパイプによって基底部及び左右支柱部を形成し、左右支柱部の先端部に座面を架設したアイデアが知られている。
【０００３】
【特許文献１】実公昭４０−１１８９６
【０００４】
また、特許文献２のように走行中は自転車から取り外すタイプの自転車用スタンド装置が知られており、車輪の下方を横切るように接地される基底部から車輪を挟むようにそれぞれ立ち上がる左右支柱部にそれぞれ支持部を設け、支柱部の弾性変形を利用して自転車のハブ軸両端に支持部に設けられた穴を係合することで自転車と一体となり、自転車を自立させるものである。
【０００５】
【特許文献２】特開２００５−８０３６号公報
【０００６】
また、上記のような自転車用スタンド装置においては、支柱部の弾性変形を積極的に利用せずに、支持部がハブ軸両端を押圧する方向に移動可能にされたものや、ハブ軸両端ではなく自転車のフレームの一部であるチェーンステイを支持するものなどが販売されている。
また、自転車から取り外した際は、工具無しで折りたたみ可能なものも多い。
【発明の開示】
【発明が解決しようとする課題】
【０００７】
自然人が着座可能な椅子は、安定してその体重を支える為に頑丈に構成され存在感があるが、例えば来客用の椅子であれば使用しない時間が多く邪魔である。
また、走行時は自転車から取り外すタイプの自転車用スタンド装置は、自転車を安定して自立させる為に接地点間距離を十分長くとり、頑丈に構成されるので存在感がある。また、走行中は取り外されることから、ある程度の重さは許容される傾向にあるが、取り外されたスタンド装置も邪魔である。
【課題を解決するための手段】
【０００８】
本発明の実施形態図等を用いて以下に説明するが、これは本発明の内容をより把握しやすいようにする為で、添付の特許請求の範囲を縮小するものではない。
【０００９】
発明１に係る椅子は、例えば図１から７の組みのように、
水平面に接地される接地部１を備える基底部１０と、
先端部に係合部２８を備え、基底部１０に対して略垂直に基底部１０の一端部から立ち上がる支柱部１１と、
先端部に係合部２９を備え、基底部１０に対して略垂直に基底部１０の他端部から立ち上がる支柱部１２と、
一端部に係合部２８に係合可能な係合部３６と、他端部に係合部２９に係合可能な係合部３７と、片面に座面４と、を備える天板３２と、
支柱部１１及び１２にそれぞれ設けられる支持部６及び７と、
を具備する椅子であって、
係合部２８及び２９をそれぞれ係合部３６及び３７に係合させた図４及び５のような第１状態で座面４に着座可能であり、
係合部２８及び３６の係合、及び、係合部２９及び３７の係合、の一方の係合を外した図６及び７のような第２状態、又は、両方の係合を外した図１から３のような第３状態で支柱部１１及び１２の間に配置された自転車の一側方及び他側方をそれぞれ支持部６及び７によって支持可能である、椅子。
【００１０】
発明２に係る椅子は、発明１の椅子において、例えば図１から７の組みのように、
天板３２は、前記水平面に略平行で係合部２９に備えられる軸線２７を中心に揺動可能に係合される、椅子である。
【００１１】
発明３に係る椅子は、発明２の椅子において、例えば図１から７の組みのように、
天板３２は、軸線２７を中心とする直線状部に揺動可能に係合される、椅子である。
【００１２】
発明４に係る椅子は、発明２から３のいずれかの椅子において、例えば図１から７の組みのように、
係合部２８及び３６の係合を外した前記第２状態において、支柱部１２が備える係合部３１に天板３２が備える係合部３３が係合可能である、椅子である。
【００１３】
発明５に係る椅子は、発明１から４のいずれかの椅子において、例えば図１から７の組みのように、
支持部６及び７はそれぞれ支柱部１１及び１２の先端部に設けられる、椅子である。
【発明の効果】
【００１４】
以上のように本発明では、元々頑丈な構造を必要とされる椅子及び自転車用スタンド装置を巧みに組み合わせることによって、使用しないときは邪魔であった両者を有効活用できるという相乗効果が得られる。例えば、本発明を装着した自転車を自動車に積んで山にサイクリングに出かけ、サイクリング後に山中で座って休憩する際や、ガレージで自転車を整備する際に、椅子及び自転車用スタンド装置として有効活用できる。
【００１５】
さらに発明２又は３によると、本発明の効果に加えて、椅子及び自転車用スタンド装置としての使い分けを簡便に行うことが出来る。
【００１６】
さらに発明４によると、本発明の効果に加えて、自転車用スタンド装置として使用する際の天板３２の収納場所に困らないようになる。
【００１７】
さらに発明５によると、本発明の効果に加えて、比較的大きな車輪径の自転車に対応可能となる。
【発明を実施するための最良の形態】
【００１８】
〔第１実施形態〕
図１から７において、車輪の下方を横切る基底部１０の接地部１と、基底部１０から車輪を挟むようにそれぞれ立ち上がる支柱部１１及び１２を備える。この基底部１０、支柱部１１及び１２はそれぞれ鋼製のパイプ２２及び２３の曲げ加工で外郭をなぞるように構成されており、支柱部１１及び１２それぞれの先端部のパイプ２２及び２３上に、鋼製の雄ネジ１６及び１７が対向するように溶接接合されており、支持部６及び７を構成するポリアセタール射出成型製で対向するようにそれぞれ穴８及び９が開けられた一対の部材には、予め雌ネジがインサート成型されており、それぞれ雄ネジ１６及び１７に螺合されて、穴８及び９の距離を自転車のハブ軸の両端距離に合わせて調整されてから、ロックナット１４及び１５によって固定される。この調整の後、パイプ２２及び２３の弾性変形を利用して支柱部１１及び１２の先端部間距離を広げ、ハブ軸の両端に設置されたナットやクイックレバーの頭部等を穴８及び９に係合させることで、自転車と椅子は一体となり、接地部１を水平面に接地させることで自転車は自立する。
【００１９】
また、雄ネジ１６及び１７付近の支柱部１１及び１２には、接地部１を水平面に接地させた際に水平面に対して略平行になる直線状部が係合部２８及び２９として成形されており、この係合部２８及び２９にそれぞれ係合可能な係合部３６及び３７が成形された、ポリプロピレン射出成型製の天板３２が図４及び５のように係合されることで、天板３２の座面４に着座可能となる。
また、係合部３６及び３７それぞれの入口３８及び３９は、パイプ２２及び２３の直径よりも若干狭くなっており、係合の際には若干の抵抗力を伴うが、係合が完了すれば、例えば図６及び７のように係合部３７だけ係合を完了させておいて、係合部２９の軸線２７を中心として天板３２を揺動させることで係合部３６も係合を完了させるというような使い方が可能となる。また、図６及び７のような天板３２の収納時に、天板３２が振動などで暴れないように、天板３２の縁に成形された係合部３３を支柱部１２に成形された係合部３１に圧入気味に係合させるようなことも出来る。
【００２０】
また、図８から１１は、支柱部１１及び１２それぞれの先端部を通る軸線５０を中心に折りたたむことが出来るようにする案であり、軸線５０を中心とする輪状部４０及び４２を貫通するボルト４４を締め込み、軸線５０を中心とする輪状部４１及び４３を貫通するボルト４５を締め込むことで、図１から３のフレームと同様になる。また、図１２は軸線４６から４８によって折りたたみ可能な補強部４９を支柱部１２に備える案であり、支柱部１１にも同様に備えても良いし、また軸線４６から４８を持たない例えば紐等の屈曲可能な部材を補強部４９としても良い。
また、図１３は天板３２の別案であり、収納時に補強部４９を逃がす為の逃がし形状５１が設けられている。また、係合部３７の入口３９の方向が座面４の裏面からではなくて天板３２の縁からになっているので、係合部３６の入口３８の方向に対して略垂直であり、天板３２が様々な方向に安定して支柱部１１及び１２に係止されることになる。
【図面の簡単な説明】
【００２１】
【図１】第１実施形態の天板３２を外した状態における、正面図
【図２】第１実施形態の天板３２を外した状態における、右側面図
【図３】第１実施形態の天板３２を外した状態における、底面図
【図４】第１実施形態の着座可能状態における、正面図
【図５】第１実施形態の着座可能状態における、右側面図
【図６】第１実施形態の天板３２収納状態における、正面図
【図７】第１実施形態の天板３２収納状態における、右側面図
【図８】第１実施形態の支柱部１１及び１２折りたたみ案の、正面図
【図９】第１実施形態の支柱部１１及び１２折りたたみ案の、右側面図
【図１０】第１実施形態の支柱部１１及び１２折りたたみ案の、底面図
【図１１】図９の実施形態を折りたたんだ、動作説明図
【図１２】図１１の実施形態に補強部４９を追加した図
【図１３】第１実施形態の天板３２の別案を第三角法で表した図
【符号の説明】
【００２２】
１.                                                                   接地部
４.                                                                   座面
６,７.                                                              支持部
８,９.                                                              穴
１０.                                                               基底部
１１,１２.                                                      支柱部
２６,２７,４６,４７,４８,５０.                    軸線
１４,１５.                                                      ロックナット
１６,１７.                                                      雄ネジ
２２,２３,２５.                                              パイプ
２８,２９,３０,３１,３３,３６,３７.            係合部
３２.                                                               天板
３４,３５,５１.                                              逃がし形状
３８,３９.                                                      入口
４０,４１,４２,４３.                                     輪状部
４４,４５.                                                      ボルト
４９.                                                               補強部
【要約】
【課題】    自然人が着座可能な椅子は、安定してその体重を支える為に頑丈に構成され存在感があるが、例えば来客用の椅子であれば使用しない時間が多く邪魔である。また、走行時は自転車から取り外すタイプの自転車用スタンド装置は、自転車を安定して自立させる為に接地点間距離を十分長くとり、頑丈に構成されるので存在感がある。また、走行中は取り外されることから、ある程度の重さは許容される傾向にあるが、取り外されたスタンド装置も邪魔である。
【解決手段】  元々頑丈な構造を必要とされる椅子及び自転車用スタンド装置を巧みに組み合わせることによって、使用しないときは邪魔であった両者を有効活用する。
【選択図】          図５【図１】
0004026160.tif 000002
【図２】
0004026160.tif 000003
【図３】
0004026160.tif 000004
【図４】
0004026160.tif 000005
【図５】
0004026160.tif 000006
【図６】
0004026160.tif 000007
【図７】
0004026160.tif 000008
【図８】
0004026160.tif 000009
【図９】
0004026160.tif 000010
【図１０】
0004026160.tif 000011
【図１１】
0004026160.tif 000012
【図１２】
0004026160.tif 000013
【図１３】
0004026160.tif 000014